(57)【要約】【課題】  フルート支持手段を提供する。【解決手段】  装置は、フルートと、土台と、サムレストと、を含む。土台はフルートに取り付けられ、通路を画定する。サムレストが通路内に挿入されて、長尺状の本体を画定する。サムレストは、フルート奏者が従来の指使いでフルートを演奏する間に右手親指をサムレストに載せることができるように位置付けられる。【選択図】図１
2016024463.tif 000002
【特許請求の範囲】
【請求項１】
フルートと、
土台であって、前記フルートに取り付けられ、通路を画定する土台と、
サムレストであって、前記通路の中に挿入され、長尺状の本体を画定し、フルート奏者が従来の指使いで前記フルートを演奏する間に右手親指を前記サムレストに載せることができるように位置付けられるサムレストと、
を含むことを特徴とする装置。
【請求項２】
請求項１に記載の装置において、
前記土台が正方形または長方形の管を画定することを特徴とする装置。
【請求項３】
請求項１に記載の装置において、
前記通路が前記フルートの縦軸に垂直に方向付けられることを特徴とする装置。
【請求項４】
請求項１に記載の装置において、
前記通路が前記フルートの縦軸に平行に方向付けられることを特徴とする装置。
【請求項５】
請求項１に記載の装置において、
前記通路が四辺形断面を有することを特徴とする装置。
【請求項６】
請求項１に記載の装置において、
前記通路が円形断面を有することを特徴とする装置。
【請求項７】
請求項１に記載の装置において、
前記土台がロッキング機構を含み、
前記ロッキング機構が第一の状態にある時、前記サムレストを前記土台内において手で移動させることができ、
前記ロッキング機構が第二の状態にある時、前記サムレストを前記土台内において手で移動させることができない
ことを特徴とする装置。
【請求項８】
請求項１に記載の装置において、
前記土台がねじを含み、前記ねじが前記サムレストに締め付けることができるように位置付けられ、
前記ねじが前記サムレストに締め付けられていない時、前記サムレストを前記土台内において手で移動させることができ、
前記ねじが前記サムレストに締め付けられている時、前記サムレストを前記土台内において手で移動させることができない
ことを特徴とする装置。
【請求項９】
請求項１に記載の装置において、前記土台が、
上昇部分であって、前記サムレストの一部を取り囲む上昇部分と、
ばねであって、前記上昇部分を付勢して、前記サムレストの一部を前記通路の側壁に押し付けるようにするばねと、
を含むことを特徴とする装置。
【請求項１０】
請求項１に記載の装置において、前記土台が、
フルート取付部分であって、前記フルートに取り付けられ、第一の通路を画定するフルート取付部分と、
サムレスト取付部分であって、前記第一の通路の中に挿入され、第二の通路を画定するサムレスト取付部分と、
を含み、
前記サムレストが前記第二の通路の中に挿入される
ことを特徴とする装置。
【請求項１１】
請求項１に記載の装置において、
前記土台が前記フルートに溶接されることを特徴とする装置。
【請求項１２】
請求項１に記載の装置において、
前記土台が前記フルートに接着剤によって取り付けられることを特徴とする装置。
【請求項１３】
請求項１に記載の装置において、
前記サムレストの一部が四辺形断面を有することを特徴とする装置。
【請求項１４】
請求項１に記載の装置において、
前記サムレストの一部が円形断面を有することを特徴とする装置。
【請求項１５】
請求項１に記載の装置において、
前記サムレストがパッドを含むことを特徴とする装置。
【請求項１６】
請求項１に記載の装置において、
前記サムレストの一部が前記フルートの縦軸に実質的に平行に延びることを特徴とする装置。
【請求項１７】
請求項１に記載の装置において、
前記サムレストを手で曲げることができることを特徴とする装置。
【請求項１８】
フルート奏者がフルートを演奏中に使用する装置において、
土台であって、前記フルートに取り付けられるようになされ、通路を画定する土台と、
サムレストであって、長尺状の本体を画定し、前記通路の中に挿入されるように、かつ前記フルート奏者が従来の指使いで前記フルートを演奏する間に右手親指を前記サムレストに載せることができるべく位置付けられるようになされるサムレストと、
を含むことを特徴とする装置。
【請求項１９】
フルート奏者がフルートを演奏中に使用する方法において、
土台を前記フルートに取り付けるステップであって、前記土台が通路を画定する、ステップと、
サムレストを前記通路の中に挿入するステップであって、前記サムレストが長尺状の本体を画定し、前記フルート奏者が従来の指使いで前記フルートを演奏する間に右手親指を前記サムレストに載せることができるべく位置付けられる、ステップと、
を含むことを特徴とする方法。
【発明の詳細な説明】
【技術分野】
【０００１】
本発明は概して楽器用の付属品に関し、より詳しくはフルート演奏中に使用する付属品に関する。
【背景技術】
【０００２】
西洋コンサートフルートは横笛型フルートであり、すなわち奏者は歌口の縁に直接息を吹き込み、その間にフルートの管状本体の残りの部分は奏者の体に対して横向きに保持される。歌口を通った空気の流れはベルヌーイ効果を生じ、それが管状本体の中の空気を動かす。奏者は楽器の本体の穴を開閉することによって音の高さを変え、それゆえ共振器の有効長さとそれに対応する共振周波数を変化させる。気圧を変化させることにより、フルート奏者はまた、何れの穴も開閉せずにフルート内の空気を基本周波数以外の倍音で共振させ、それによって音程を変えることもできる。
【０００３】
フルートを演奏している時、奏者は右手親指以外のすべての指を使ってこの楽器のキーを操作する。支持のために、フルートは奏者の左手人差し指の付け根と奏者の右手親指の上に載る。残念ながら、この配置は特に安定しているとは言えない。フルートの支え方が不適切であると、歌口にかかる圧力によってフルートがその縦軸の周囲で回転する場合がある。同様に、この同じ圧力がフルートを捻ろうとし、その遠位端が奏者の体の方向に移動しうる。このような影響の各々は、奏者の手が、例えば演奏のストレスによって汗ばんだ時により顕著となりうる。極端な場合には、フルート全体が滑り落ちることもあり、また奏者が自分の手の姿勢を保てなくなることもある。
【０００４】
フルートを、その演奏中に適正に支持するという問題に対処しようとする試みは、“Ｆｌｕｔｅ  Ａｔｔａｃｈｍｅｎｔ”という名称のＬｅｅの米国特許出願公開第２００７／００４４６３５号明細書（放棄済み）に記載されている。この解決策は、フルートの本体に取り付けられ、奏者が楽器の演奏中にその右手親指を載せることのできる「固定部材」を利用する。しかしながら、このような解決策は「実質的にＣ字形」で、締付動作によってフルートに取り付けられるように構成されている。その結果、このような取付がフルートの共振の質に影響を与え、それによってその音色が変わってしまうという強い懸念がある。このような取付はまた、フルートの奏者の親指の動きの自由度を制限し、したがってそれが手の姿勢を制約して、フルートの演奏がしにくく、より困難となる。最後に、このような解決策では実際に楽器に傷が付きうるという懸念がある。したがって、このような解決策はフルートの安定化を促進するには有効でありうるが、理想的というには程遠い。
【０００５】
上記の理由から、フルートを、その楽器の演奏中に支持する代替的な手段が求められている。理想的には、このような解決策はフルートの音に実質的に影響を与えず、フルートに傷を付けず、手の大きさがそれぞれ異なるフルート奏者にも対応する。
【発明の概要】
【０００６】
本発明の実施形態は、フルートを、その楽器の演奏中に支持するのに役立つことのできる装置を提供することによって上記の要求に応える。
【０００７】
本発明のある態様によれば、装置はフルートと、土台と、サムレストと、を含む。土台はフルートに取り付けられ、通路を画定する。サムレストはこの通路の中に挿入され、長尺状の本体を画定する。サムレストは、フルート奏者が従来の指使いでフルートを演奏する間に右手親指をサムレストに載せることができるように位置付けられる。
【０００８】
本発明の他の態様によれば、フルート奏者がフルートの演奏中に使用する装置は、土台と、サムレストと、を含む。土台はフルートに取り付けられるようになされ、通路を画定する。サムレストは長尺状の本体を画定し、通路内に挿入されるように、また、フルート奏者が従来の指使いでフルートを演奏する間に右手親指をサムレストに載せることができるべく位置付けられるようになされている。
【０００９】
本発明のまた別の態様によれば、フルートを演奏するための方法は、土台をフルートに取り付けるステップを含み、土台は通路を画定する。次にサムレストが通路に挿入される。サムレストは長尺状の本体を画定し、フルート奏者が従来の指使いでフルートを演奏する間に右手親指をサムレストに載せることができるように位置付けられる。
【００１０】
有利には、本発明の上記の実施形態により、フルート奏者はよりしっかりとフルートを保持することができ、それと同時に、依然としてフルート奏者の指は従来の方法で、手の姿勢がぎこちなくなることなく、フルートを自由に操作できる。フルートがその縦軸の周囲で回転する傾向は大幅に抑えられる。この楽器がより演奏しやすくなり、指の姿勢が崩れる、または楽器を落としさえすることに関する懸念が緩和される。
【００１１】
本発明の上記およびその他の特徴、態様、および利点は、後述の説明、付属の特許請求の範囲、以下の添付の図面を参照することによって、よりよく理解されるであろう。
【図面の簡単な説明】
【００１２】
【図１】図１は、フルートに取り付けられた本発明の第一の例示的実施形態による装置の斜視図を示す。
【図２】図２は、図１の装置とフルートの分解斜視図を示す。
【図３】図３は、フルート演奏中の図１の装置とフルートの斜視図を示す。
【図４】図４は、フルートに取り付けられた本発明の第二の例示的実施形態による装置の斜視図を示す。
【図５】図５は、図４の装置とフルートの分解斜視図を示す。
【図６】図６は、図４の装置に使用するための代替的なサムレスト取付部分の斜視図を示す。
【図７】図７は、図６の代替的なサムレスト取付部分の第一の断面図を示す。
【図８】図８は、図６の代替的なサムレスト取付部分の第二の断面図を示す。
【図９】図９は、フルートに取り付けられた本発明の第三の例示的実施形態による装置の斜視図を示す。
【図１０】図１０は、図９の装置とフルートの分解斜視図を示す。
【発明を実施するための形態】
【００１３】
本発明を例示的実施形態に関して説明する。この理由から、これらの実施形態には様々な改良を加えることができ、その結果も依然として本発明の範囲に含まれる。本明細書に記載されている具体的な実施形態に関しては、いかなる限定も意図されず、黙示もされない。
【００１４】
これに加えて、留意すべき点として、本明細書で使用される「フルート」という単語は、ミュージシャンが楽器の歌口の縁から直接息を吹き込んで音を生成するあらゆる楽器を含むことが意図されている。したがって、本明細書において使用されるかぎり、「フルート」という用語は西洋コンサートフルート、ピッコロ、横笛、笛子、バンスリー、および笛を含むが、これらに限定されない。さらに、本明細書において使用されるかぎり、「フルートの縦軸」とは、フルートの円筒形の本体の中心を通って長手方向に延びる想像上の線と定義される。最後に、「手で移動させることができる」および「手で曲げられる」という用語は、本明細書において使用されるかぎり、平均的な力を有する人が自分の手だけを使ってそれぞれ移動、または曲げることができることを意味する。
【００１５】
図１および２は、フルート１０００に組み合わせた本発明の第一の例示的実施形態による装置１００の態様を示す。図１は装置１００の斜視図を示し、図２は構成部品を明瞭にするために装置１００を分解した状態の別の斜視図を示す。装置１００は、フルート１０００に取り付けられる土台１０５を含む。サムレスト１１０が土台１０５に挿入され、長尺状の本体を画定し、これは断面が長方形（すなわち、四辺形断面）で、その長さの約半分の地点で９０度曲げられている。サムレスト１１０の遠位端はフルート１０００の縦軸と実質的に平行に、フルート１０００の歌口に向かう方向に延びる。サムレスト１１０の遠位端はパッド１２０により覆われている。
【００１６】
サムレストの近位端は、土台１０５をフルート１０００の縦軸に垂直な方向に通る通路１２５の中に挿入される。ねじ１３０が土台１０５の露出された側壁のねじ穴に通され、ねじ１３０をサムレスト１１０に締め付けることができる。ねじ１３０を締めることにより、圧縮力がサムレスト１１０に加わり、それが土台１０５に関して移動できなくなる。ねじ１３０を緩めると、サムレスト１１０を土台１０５の通路１２５内において手で移動させることができる。ねじ１３０はこれによって、ロッキング機構として動作し、このロッキング機構が第一の状態にある時にはサムレスト１１０を土台１０５内において手で移動させることができ、ロッキング機構が第二の状態にある時にはサムレスト１１０を土台１０５内において手で移動させることができない。
【００１７】
この非限定的な実施形態において、装置１００はフルート奏者の人差し指が、自分の右手をフルート１０００に関して「ホームポジション」としばしば呼ばれる位置に置いた時にあたる場所の下方に位置付けられる。そのように設置されると、装置１００は、フルート奏者が従来の指使いでフルート１０００を演奏する間に右手親指をサムレスト１１０に載せることができるような位置にある。このような状態が図３の斜視図により示され、この図はフルート奏者の右手親指３０００がサムレスト１１０を抑えていることを示している。フルート１０００の従来の指使いは当業者にとってよく知られており、例えばＮ．Ｔｏｆｆ，Ｔｈｅ  Ｆｌｕｔｅ  Ｂｏｏｋ：Ａ  Ｃｏｍｐｌｅｔｅ  Ｇｕｉｄｅ  ｆｏｒ  Ｓｔｕｄｅｎｔｓ  ａｎｄ  Ｐｅｒｆｏｒｍｅｒｓ，Ｏｘｆｏｒｄ  Ｕｎｉｖｅｒｓｉｔｙ  Ｐｒｅｓｓ，２０１２をはじめとするいくつかの容易に入手可能な文献の中にも記載されており、同文献を参照によって本明細書に援用する。
【００１８】
このように位置付けられると、装置１００はフルート奏者の右手親指３０００と共に、フルート１０００がその縦軸の周囲で回転するのを阻止する。それと同時に、フルート奏者の右手親指３０００は引き続き自然な方法でフルート１０００と接触し、ある位置または角度に「ロック」されることはない。すなわち、フルート奏者は自分の親指３０００を、サムレスト１１０およびフルート１０００と接触したまま所望の通りに移動させ、および／またはその角度を変えることができる。それによってフルート１０００が演奏しやすくなり、指の姿勢が崩れることに関する懸念が軽減される。土台１０５のねじ１３０を緩めたり締めたりすることにより、フルート奏者はサムレスト１１０とフルート１０００との間の所望の間隔を選択できる。装置１００はそれによって、特定の使用者の手の大きさおよび手の姿勢に関する好みに応じて調整できる。
【００１９】
さらに、任意選択により、サムレスト１１０は幾分柔軟な素材、例えば、これらに限定されないが、アルミニウムまたはスチール等から形成してもよい。したがって、使用者がサムレスト１１０を曲げて、フルート１０００に関するその向きをさらにカスタマイズできる。言い換えれば、サムレスト１１０は手で曲げることが可能であってもよい。
【００２０】
図４は、フルート４０００に取り付けられた本発明の第二の例示的実施形態による装置４００の斜視図を示し、図５は同じ要素の分解斜視図を示す。装置１００と同様に、装置４００は土台４０５と、サムレスト４１０と、を含む。しかしながら、一体の要素である代わりに、装置４００の土台４０５は２つの分離可能な部分、すなわちフルート取付部分４１５とサムレスト取付部分４２０を含む。
【００２１】
土台４０５のフルート取付部分４１５は土台１０５と同様である。これはフルート４０００に取り付けられ、フルート取付部分４１５を通ってフルート４０００の縦軸に垂直な方向に延びる第一の通路４２５を画定する。第一のねじ４３０はフルート取付部分４１５の露出した側壁のねじ穴に通される。土台４０５のサムレスト取付部分４２０はタブ４３５を画定し、これは円筒形本体部分４４０から突出する。円筒形本体部分４４０はその中を通る第二の通路４４５を有し、これはフルート４０００の縦軸に実質的に平行に延びる。サムレスト取付部分４２０のタブ４３５はフルート取付部分４１５の第一の通路４２５の中に挿入される。サムレスト取付部分４２０は、装置１００に関して上述したように、第一のねじ４３０をロッキング機構として使ってフルート取付部分４１５の中の所定の位置に調整可能に固定されてもよい。
【００２２】
サムレスト４１０は長尺状の丸いワイヤ状の本体を画定し、その長さの約半分の位置で１８０度曲げられている。サムレスト４１０の近位端はサムレスト取付部分４２０の第二の通路４４５の中に挿入される。第二のねじ４５０がサムレスト取付部分４２０の中にねじ込まれ、サムレスト４１０に締め付けられることができる。第二のねじ４５０はサムレスト取付部分４２０の中のサムレスト４１０のためのロッキング機構として機能する。第二のねじ４５０を緩めることによって、サムレスト４１０をフルートの縦軸に沿って移動させるほか、サムレスト取付部分４２０の内部で回転させることができる。第二のねじ４５０を締めると、サムレスト４１０を所望の位置と向きに固定することができる。それによって、装置４００は装置１００と比較して、調整可能性に関してさらに２自由度（すなわち、縦方向の移動および回転）を提供する。サムレスト４１０の遠位端はフルート４０００の縦軸に実質的に平行に延び、楽器の歌口の方に向かう。これはパッド４５５で覆われる。サムレスト４１０のこの部分は、従来の指使いでフルート４０００を演奏する間にフルート奏者の右手親指を載せることのできる支持部を生成する。
【００２３】
位置決めねじ装置を使って、サムレスト４１０の位置を土台４０５のサムレスト取付部分４２０に関して調整できるようにしてもよいが、いくつかの代替的なロッキング機構を利用してもよく、その結果も本発明の範囲に含まれることがわかるであろう。図６〜８は、装置４００のサムレスト取付部分４２０の代わりに使用可能な代替的なサムレスト取付部分６００の、それぞれ斜視図と２つの断面図を示す。サムレスト４１０とフルート取付部分４１５は、図４および５に示されるものと同じである。
【００２４】
代替的なサムレスト取付部分６００のタブ６０３はフルート取付部分４１５に入り、その中に固定されてもよい。さらに、代替的なサムレスト取付部分６００は、外側通路６１０を画定する本体外側部分６０５と、内側通路６２０を画定する内側上昇部分６１５と、をさらに含む。外側通路６１０の直径は内側通路６２０のそれより若干大きい。内側上昇部分６１５はばね６２５によって上方に付勢され、サムレスト取付部分６００の上から突出してボタン６３０を画定する。使用時には、サムレスト４１０が外側通路６１０と内側通路６２０を通過する（すなわち、内側上昇部分６１５がサムレスト４１０の一部を取り囲む）。ボタン６３０から手を放すと（すなわち、押さないと）、ばね６２５によって内側上昇部分６１５がサムレスト４１０を外側通路６１０の中で上昇させ、それによってサムレスト４１０が外側通路６１０の側壁６３５に押し付けられる。これが摩擦を発生させ、サムレスト取付部分６００の中でのサムレスト４１０の動きを阻止する。これに対して、ボタン６３０を若干押すと、内側上昇部分６１５がサムレスト４１０を引っ張り、それがより大きな外側通路６１０の中でより中心に近付き、その側壁６３５と接触しないか、またはわずかにのみ接触する。その結果、摩擦が軽減し、それによってサムレスト４１０をサムレスト取付部分６００内において手で移動させることができる。所望の位置に到達したところで、使用者は単純にボタン６３０から手を放してその位置を固定する。
【００２５】
最後に、図９および１０は、フルート９０００と組み合わせた本発明の第三の例示的実施形態による装置９００の態様を示しており、図９はそのままの斜視図を示し、図１０は分解斜視図を示す。装置９００の土台９０５は実質的に平坦な部分９１０を含み、そこから一部円筒形部分９１５が突出する。一部円筒形部分９１５は、その中を通り、フルート９０００の縦軸に沿って方向付けられる通路９２０を画定する。
【００２６】
装置９００のサムレスト９２５は装置４００のサムレスト４１０と同様である。すなわち、サムレスト９２５はワイヤ状の長尺状の本体を画定し、その長さの約半分の位置で１８０度曲げられる。サムレスト９２５の遠位端はフルート９０００の縦軸に実質的に平行に延びる。これはパッド９３０によって覆われ、支持部を形成して、そこにフルート９０００の演奏中にフルート奏者の右手親指を載せることができる。
【００２７】
サムレスト９２５の近位端は通路９２０を通り、ねじ９３５を使って所定の位置に固定される。ねじ９３５を緩めることによって、サムレスト９２５をフルートの縦軸に沿って移動させるほか、一部円筒形部分９１５の内部で回転させることができる。ねじ９３５を締めると、サムレスト９２５が所定の位置に固定される。あるいは、一部円筒形部分９１５は、図６〜８に関して上述したものと同様のボタン式ロッキング機構を含むことができる。何れの場合も、装置９００は使用者に対し、調整可能性に関して２自由度（すなわち、縦方向の移動および回転）を提供し、それによって使用者は広い範囲でカスタム化できる。
【００２８】
その固有の構造と機能が本明細書の教示から理解されたところで、例示的な装置１００、４００、９００は、製造業界の当業者にとってよく知られた従来の製造技術を使って一般的に入手可能な市販の材料から形成されてもよい。ある長さの四辺形または円形金属ワイヤのスパンが、例えばサムレスト１１０、４１０、９２５の骨格を形成してもよく、その一方で、土台１０５、４０５、９０５を形成する要素は機械加工または鋳造を利用して金属またはプラスチックから形成されてもよい。土台１０５、４０５、９０５は、例えば、これらに限定されないが、溶接、接着剤、ねじ等の固定具を使用した固定を含む各種の方法によってフルートに取り付けられてもよい。パッド１２０、４５５、９３０を作製するために、サムレスト１１０、４１０、９２５はエポキシで被覆されてもよく、あるいは例えばシリコンゴムまたはレザー等の、より柔らかい素材で覆われてもよい。
【００２９】
最後に、再び強調すべき点として、本発明の上述の実施形態は例示のみを目的としている。他の実施形態は、説明された機能を実現するために異なる要素の配置を利用することができる。付属の特許請求の範囲に含まれるこれらの様々な代替的実施形態は、当業者にとって明らかであろう。
【００３０】
さらに、本明細書において開示される特徴はすべて、特に別段の明確な記載がないかぎり、同じ、均等な、または同様の目的に適合する代替的な特徴に置き換えてもよい。それゆえ、特に別段の明確な記載がないかぎり、開示されている各特徴は、包括的な一連の均等な、または同様の特徴の一例にすぎない。
【符号の説明】
【００３１】
１００  装置
１０５  土台
１１０  サムレスト
１２０  パッド
１２５  通路
１３０  ねじ
４００  装置
４０５  土台
４１０  サムレスト
４１５  フルート取付部分
４２０  サムレスト取付部分
４２５  第一の通路
４３０  第一のねじ
４３５  タブ
４４０  円筒形本体部分
４４５  第二の通路
４５０  第二のねじ
４５５  パッド
６００  サムレスト取付部分
６０３  タブ
６０５  本体外側部分
６１０  外側通路
６１５  内側上昇部分
６２０  内側通路
６２５  ばね
６３０  ボタン
６３５  側壁
９００  装置
９０５  土台
９０５  土台
９１０  装置
９１５  一部円筒形部分
９２０  実質的に平坦な部分
９２５  サムレスト
９３０  パッド
９３５  ねじ
１０００  フルート
３０００  右手親指
４０００  フルート
９０００  フルート
【図１】
2016024463.tif 000003
【図２】
2016024463.tif 000004
【図３】
2016024463.tif 000005
【図４】
2016024463.tif 000006
【図５】
2016024463.tif 000007
【図６】
2016024463.tif 000008
【図７】
2016024463.tif 000009
【図８】
2016024463.tif 000010
【図９】
2016024463.tif 000011
【図１０】
2016024463.tif 000012